(57)【要約】【課題】  オートクレーブを用いて滅菌処理をしても蓋部材が外れるようなことはなく、口金から蓋部材をスムーズに外せ、蓋部材を外した後のゴム栓の上面の消毒作業もスムーズに行うことができる薬用瓶の蓋の提供を課題とする。【解決手段】  薬液等を収納してある薬用瓶１の瓶口１ａはゴム栓３によって閉塞されている。この瓶口１ａに口金１０の周胴部１１が巻き締め固定される。蓋部材２０の円筒形の係止部材２３は口金１０の透孔１３に嵌入されるものであり、その先端部の係着部２３ｂは、口金１０の下面側に形成されるものである。口金１０の頂面板１２には円形の切り裂き筋１７が形成されており、この円形の切り裂き筋１７と透孔１３に挟まれた部分が蓋部材２０と共に口金１０から分離される剥離環部１６となる。【選択図】  図１
0003222507.tif 000002
【実用新案登録請求の範囲】
【請求項１】
ゴム栓によって瓶口が閉塞されている薬用瓶の蓋であって、当該瓶口に冠着可能な逆有底円筒状のアルミ等の金属薄板からなる口金と、該口金に冠着可能な逆有底円筒状の合成樹脂製の蓋部材との組み合せからなり、
前記口金は、前記瓶口に巻き締め固定可能な円筒体からなる周胴部の上面に頂面板を一体的に形成することによって構成され、前記頂面板にはその中央部に円形の透孔が穿設され、
前記蓋部材は、円筒体からなる周胴部の上面に頂面板を一体的に形成することによって構成され、当該頂面板の下面側の中央部には前記口金の前記透孔に嵌入可能な円筒体の係止部材が形成され、該円筒体の係止部材の先端部には周辺方向に延在するように形成された中空円盤状の係着部が設けられ、
前記口金の前記頂面板の下面側に位置している前記蓋部材の前記係着部の外側に位置する前記口金の頂面板には、その部分の厚みが周囲の厚みよりも薄い厚みとなるような切り裂き筋が前記透孔と同心円状となるように形成され、当該円形の切り裂き筋の内側の部分を前記蓋部材と共に前記口金から離隔可能な剥離環部となすことを特徴とする薬用瓶の蓋。
【請求項２】
前記口金の前記頂面板に形成される前記切り裂き筋は、当該頂面板の上面側または／および下面側に形成されていることを特徴とする請求項１に記載の薬用瓶の蓋。
【考案の詳細な説明】
【技術分野】
【０００１】
本考案は、注射剤等の薬液や粉末状の薬を収納する薬用瓶の瓶口に装着する薬用瓶の蓋に関するものである。
【背景技術】
【０００２】
従来から一般的に使用されている薬用瓶の蓋の構成を図５，図６に示す。
【０００３】
図５は従来の一般的な薬用瓶の蓋の構成を示した断面図であり、図５（ａ）は蓋部材２０が装着されている状態を示し、図５（ｂ）は蓋部材２０が外された状態を示したものである。また図６は、図５（ａ），（ｂ）に示した口金１０と蓋部材２０との構成を示す分解斜視図である。
【０００４】
図５（ａ）に示したように、薬液等が収納されている薬用瓶１の瓶口１ａは注射針が挿通可能なゴム栓３によって閉塞されており、そのゴム栓３を含む瓶口１ａには、口金１０の周胴部１１が巻き締め固定されている。口金１０の上部には、合成樹脂製の蓋部材２０が係止されている。
【０００５】
このように、従来から使用されている一般的な薬用瓶の蓋は、図５および図６に示したように、アルミ等の軟質金属薄板によって逆有底円筒状に形成した口金１０と、この口金１０の上半部に冠着させた状態で係止可能な逆有底円筒状の合成樹脂製の蓋部材２０との組み合わせによって構成されている。
【０００６】
口金１０は、適宜の高さをした周胴部１１の上面に頂面板１２を一体的に形成することによって逆有底円筒状に形成されている。
【０００７】
１３は頂面板１２の中央部に穿設した透孔であり、蓋部材２０を外した図５（ｂ）の状態においては、この透孔１３を通して、薬用瓶１の瓶口１ａに嵌装したゴム栓３の上面が露出する。
【０００８】
口金１０の上部に冠着する蓋部材２０は、適宜の硬度を有する合成樹脂を用いて形成す
るものであり、円筒状の周胴部２１を口金１０の周胴部１１に少しだけかぶせることができるような浅い倒皿状となるように形成されている。
【０００９】
蓋部材２０の下面側の中央部には、口金１０の頂面板１２に穿設した透孔１３に嵌入可能な円筒体の係止部材２３が突設されていて、この係止部材２３を透孔１３に嵌入させた後、口金１０の内側から折り曲げ加圧して押し広げながら倒伏させて、係止部材２３の先端部に中空円盤状の係止部２３ａを形成する。この係止部２３ａによって蓋部材２０は口金１０に係止している。
【００１０】
図５（ａ）に示したように構成されている薬用瓶１に収納されている薬液を使用する際には、図７（ａ）に示したように、先ず使用者は、蓋部材２０を外すように上向きの力を蓋部材２０に加え、蓋部材２０の係止部２３ａを変形させて蓋部材２０と口金１０との係止状態を解除して蓋部材２０を口金１０から外す。その後、使用者は、図７（ｂ）に示したように、口金１０の透孔１３から露出しているゴム栓３に注射針４を刺し込んで内部の薬液２を注射器内に移動させて使用する。
【００１１】
以上説明した一般的な薬用瓶の蓋においては、薬液２が収納されている図５（ａ）に示した状態において、オートクレーブを用いて滅菌処理を施すと、その滅菌処理中に蓋部材２０が口金１０から外れてしまうという問題があった。
【００１２】
このような問題を解消するために開発された、オートクレーブを用いて滅菌処理をしても、蓋部材２０が外れない構成の従来の薬用瓶の蓋について、以下に図面を用いて説明する。
【００１３】
図８は、オートクレーブを用いて滅菌処理をしても蓋部材２０が外れないように構成された従来の薬用瓶の蓋の分解斜視図である。
【００１４】
図８に示した薬用瓶の蓋が、先に説明した図６の従来の一般的な薬用瓶の蓋と異なるところは、先ず、蓋部材２０の円筒状の係止部材２０の先端部に係着部２３ｂが設けられていることである。
【００１５】
この図８に示した係着部２３ｂは、図６の一般的な薬用瓶の蓋の係止部２３ａに比して、その厚みを厚くしたりその径を小さくする等して変形に対する強度を高めたものである。このように強度が高められた係着部２３ｂは、蓋部材２０に上向きの力を加えても容易には変形せず、従って蓋部材２０と口金１０との係止状態は維持される。
【００１６】
一方、口金１０の頂面板１２には、図８に示したように上向きの力（蓋部材２０方向への力）が加わると、その部分のみが剥離する剥離環部１６が設けられている。
【００１７】
この剥離環部１６は、図９（ａ）に示したように、複数個の円弧状の切断線（スリット）１４を、透孔１３と同心円状となるように配設することによって形成されたものであり、相隣接する２本のスリット１４の間には、剥離環部１６とその周囲の頂面板１２とを連結する連結部１５が形成されている。
【００１８】
この剥離環部１６の内側に収まるように、蓋部材２０の係着部２３ｂは形成されており、蓋部材２０に上向きの力を加えると、その力は係着部２３ｂを介して剥離環部１６に作用し、その力が一定の限度を超えると、複数個の連結部１５が破壊切断されて図９（ｂ）に示したように剥離環部１６のみがその周囲の頂面板１２から分離する。図９（ｃ）は図９（ｂ）の部分拡大図である。
【００１９】
すなわち、図８に示した構成の従来の薬用瓶の蓋においては、蓋部材２０に口金１０から外すような力を加えると、図１０（ａ）に示したように、蓋部材２０と共に剥離環部１６が口金１０から分離される。
【００２０】
このように構成されている図８に示した従来の薬用瓶の蓋においては、厚さが薄くても他の材料に比して強度が高い金属の連結部１５によって蓋部材２０が口金１０に係止された状態となっているので、オートクレーブを用いて滅菌処理をしても、その処理中に蓋部材２０が口金１０から外れるようなことはない。
【考案の概要】
【考案が解決しようとする課題】
【００２１】
しかしながら、図８に示した従来の薬用瓶の蓋には以下のような問題があった。
【００２２】
先ず、従来の薬用瓶の蓋においては、複数個の連結部１５によって蓋部材２０が口金１０に係止される構成となっている。この連結部１５は強度の高い金属で形成されており、破壊切断に対する各連結部１５のそれぞれの強度を均一にすることは、製造技術上極めて困難である。例えば、連結部１５の幅が若干異なっただけで、その破壊切断に対する強度は大きく異なってしまう。従って図８に示す従来の薬用瓶の蓋においては、蓋部材２０を外す際には、強度の異なる複数個の連結部１５を破壊切断しなければならないために、蓋部材２０をスムーズに外すことができないという問題があった。また、同様の理由から、蓋部材２０を外す際に必要とされる力を微妙に変化させることが極めて難しいという問題もあった。
【００２３】
さらに、図８に示した従来の薬用瓶の蓋においては、図１０（ａ），（ｂ）に示したように、蓋部材２０を外した後の口金１０の頂面板１２に連結部１５が破壊切断された跡の凹凸が形成されてしまう（図９（ｃ）参照）。ゴム栓３の上面が露出している周囲の口金１０にこのような凹凸があるため、図１０（ｂ）に示したように注射針４をゴム栓３に刺す状態になる直前に、ゴム栓３の上面をアルコールを含ませたガーゼや脱脂綿で消毒するような場合、このガーゼや脱脂綿の繊維がこの頂面板１２の凹凸に引っ掛ってしまい消毒作業がスムーズに行えないという問題もあった。
【課題を解決するための手段】
【００２４】
以上の問題を解消するために、本考案は、ゴム栓によって瓶口が閉塞されている薬用瓶の蓋であって、当該瓶口に冠着可能な逆有底円筒状のアルミ等の金属薄板からなる口金と、該口金に冠着可能な逆有底円筒状の合成樹脂製の蓋部材との組み合せからなり、前記口金は、前記瓶口に巻き締め固定可能な円筒体からなる周胴部の上面に頂面板を一体的に形成することによって構成され、前記頂面板にはその中央部に円形の透孔が穿設され、前記蓋部材は、円筒体からなる周胴部の上面に頂面板を一体的に形成することによって構成され、当該頂面板の下面側の中央部には前記口金の前記透孔に嵌入可能な円筒体の係止部材が形成され、該円筒体の係止部材の先端部には周辺方向に延在するように形成された中空円盤状の係着部が設けられ、前記口金の前記頂面板の下面側に位置している前記蓋部材の前記係着部の外側に位置する前記口金の頂面板には、その部分の厚みが周囲の厚みよりも薄い厚みとなるような切り裂き筋が前記透孔と同心円状となるように形成され、当該円形の切り裂き筋の内側の部分を前記蓋部材と共に前記口金から離隔可能な剥離環部となすことを特徴とするものである。ここで、前記口金の前記頂面板に形成される前記切り裂き筋は、当該頂面板の上面側または／および下面側に形成されていてもよい。
【考案の効果】
【００２５】
本考案によれば、オートクレーブを用いて滅菌処理をしても蓋部材が外れるようなことはなく、口金から蓋部材をスムーズに外せ、蓋部材を外した後のゴム栓の上面の消毒作業もスムーズに行うことができる薬用瓶の蓋を提供することができる。
【図面の簡単な説明】
【００２６】
【図１】本考案の実施例１の構成を示す分解斜視図である。
【図２】図１に示した実施例１の構成の説明図である。
【図３】図１に示した実施例１の構成の説明図である。
【図４】図１に示した実施例１の動作の説明図である。
【図５】従来の一般的な薬用瓶の蓋の構成を示す断面図である。
【図６】従来の一般的な薬用瓶の蓋の構成を示す分解斜視図である。
【図７】従来の一般的な薬用瓶の蓋の動作の説明図である。
【図８】従来の薬用瓶の蓋の構成を示す断面図である。
【図９】従来の薬用瓶の蓋の構成を示す分解斜視図である。
【図１０】従来の薬用瓶の蓋の動作の説明図である。
【考案を実施するための形態】
【００２７】
以下、図面を用いて本考案の実施例について説明する。
【実施例１】
【００２８】
図１は、本考案の実施例１の構成を示した分解斜視図である。
【００２９】
図１に示した本実施例１が、図８に示した従来の薬用瓶の蓋の構成と異なるところは、本実施例１においては剥離環部１６が、スリット１４と連結部１５とによって形成されているのではなく、円形の切り裂き筋１７によって形成されていることである。その他の構成については、図８に示した従来の薬用瓶の蓋の構成と同様の構成であるので、その説明は省略する。
【００３０】
図２（ａ），（ｂ）に示したように、本実施例１に係る口金１０の頂面板１２の上面側には、その部分の厚みが周囲の厚みよりも薄い厚みとなるような切り裂き筋１７が透孔１３と同心円状となるように形成されており、この切り裂き筋１７の内側の部分が剥離環部１６となっている。
【００３１】
このような切り裂き筋１７は、従来の金属加工技術によって、例えば頂面板１２の厚みが０．２２５ｍｍの場合であれば、０．０５ｍｍぐらいの単位でその深さを制御して形成することができる。すなわち、口金１０から剥離環部１６を分離する際に必要とされる力を微妙に制御することができる。
【００３２】
従って本実施例１のように切り裂き筋１７を用いて剥離環部１６を形成するように構成すれば、オートクレーブを用いて滅菌処理をする過程で蓋部材２０が口金１０から外れない程度の強度を有し、しかも蓋部材２０を口金１０から外す際には最小限度の力によって剥離環部１６と共に蓋部材２０を口金１０から外すことができる剥離環部１６を容易に形成することができる。
【００３３】
さらに本実施例１においては、このように連続している円形の切り裂き筋１７に沿って剥離環部１６が切り離される構成となっているために、使用者がほぼ一定の力を蓋部材２０に加えるだけで、蓋部材２０を口金１０からスムーズに外すことができる。
【００３４】
ここで、本実施例１においては図２（ａ），（ｂ）に示したように、切り裂き筋１７は頂面板１２の上面側に形成されているが、この切り裂き筋１７は、図３（ａ）に示したように頂面板１２の下面側に形成してもよく、また図３（ｂ）に示したように頂面板１２の上面側と下面側とにそれぞれ形成してもよい。
【００３５】
このように構成された本実施例１に係る蓋部材２０を口金１０から外した際には、図４（ａ），（ｂ）に示すように、ゴム栓３の上面が露出している周囲の口金１０の端縁部は、切り裂き筋１７に沿った凹凸のない円形となるために、ゴム栓３の上面をアルコールを含ませたガーゼや脱脂綿で消毒する場合でも、そのガーゼや脱脂綿の繊維が口金１０に引っ掛ることなく、従ってゴム栓３の上面の消毒作業をスムーズに行なうことができる。
【符号の説明】
【００３６】
１  薬用瓶
１ａ  瓶口
２  薬液
３  ゴム栓
４  注射針
１０  口金
１１，２１  周胴部
１２，２２  頂面板
１３  透孔
１４  切断線（スリット）
１５  連結部
１６  剥離環部
１７  切り裂き筋
２０  蓋部材
２３  係止部材
２３ａ  係止部
２３ｂ  係着部
【図１】
0003222507.tif 000003
【図２】
0003222507.tif 000004
【図３】
0003222507.tif 000005
【図４】
0003222507.tif 000006
【図５】
0003222507.tif 000007
【図６】
0003222507.tif 000008
【図７】
0003222507.tif 000009
【図８】
0003222507.tif 000010
【図９】
0003222507.tif 000011
【図１０】
0003222507.tif 000012